(57)【要約】【課題】手首などの人体の装着部分を周回させたときに全長にわたって螺旋巻きとなりかつ両端部が上下に重ならないような構成となすことにより、これまでない特有の美観と変化に富んだ意匠を付与し得る身体装着用バンドを提供する。【解決手段】複数個の連結駒２〜４を前後隣の連結駒と端面を突き合わせようにして内方へ屈曲可能にそれぞれ連結して周回可能な長さに形成されている。各連結駒２〜４は、全長にわたって螺旋巻きとなりかつ両端部が上下に重ならないように、一側方へ所定量だけ順次位置ずれさせて連結されるとともに、両端部間は両端部分を横並びの状態で係脱可能に固定する連結金具により開閉可能に連結されている。【選択図】図１
2009034219.tif 000002
【特許請求の範囲】
【請求項１】
複数個の連結駒を前後隣の連結駒と端面を突き合わせようにして少なくとも内方へ屈曲可能にそれぞれ連結して周回可能な長さに形成された身体装着用バンドにおいて、各連結駒は、全長にわたって螺旋巻きとなりかつ両端部が上下に重ならないように、一側方へ所定量だけ順次位置ずれさせて連結されるとともに、両端部間は両端部分を横並びの状態で係脱可能に固定する連結金具により開閉可能に連結されて成る身体装着用バンド。
【請求項２】
前記連結駒は、端部に位置する連結駒と、中間に位置する連結駒とから成り、中間に位置する連結駒は、前後の端面の一方に中心線が連結駒の中心線と一致する凸状連結部を備え、他方に隣の連結駒の凸状連結部が挿入可能でありかつ中心線が連結駒の中心線より一側方にずれた凹状連結部を備えるとともに、各凸状連結部は、隣の連結駒の凹状連結部内へ挿入した状態でピンにより回動自由に支持されている請求項１に記載された身体装着用バンド。
【請求項３】
前記端部に位置する各連結駒には、さらに、装飾用の連結駒がそれぞれ着脱交換可能に連結されている請求項２に記載された身体装着用バンド。
【請求項４】
前記連結駒のいずれかには、裏面にゲルマニウムチップが装着されている請求項１〜３のいずれかに記載された身体装着用バンド。
【請求項５】
前記連結金具は、横並びの状態で一体化された一対の基板部と、各基板部の反対側の端部に各基板部上にそれぞれ折り重ね可能に連結された止め板部とから成り、各基板部と止め板部との間には互いに係脱可能な係合手段が設けられ、一方の止め板部の先端部は一端部の連結駒に、他方の止め板部の先端部は他端部の連結駒に、それぞれ回動自由に連結されている請求項１に記載された身体装着用バンド。
【発明の詳細な説明】
【技術分野】
【０００１】
この発明は、例えば装飾用や健康増進用のブレスレットとして手首などに装着される身体装着用バンドに関し、特にこの発明は、複数個の連結駒が前後隣の連結駒と端面を突き合わせようにして屈曲可能にそれぞれ連結された身体装着用バンドに関する。
【背景技術】
【０００２】
従来、ブレスレットとして、全体がＣ型形状のものやリング形状のものがある。リング形状のものには、全体を一連に形成したものと複数の連結駒を一列に連結して周回可能な長さに形成したものとがある。後者のものでは、両端部を互いに連結するための連結金具が取り付けられている。
【０００３】
従来、ブレスレットは、専ら装飾用として用いられてきたが、近年、ブレスレットに健康増進機能を具備させたものが提案された。例えば、磁性金属素材より成るブレスレットに着磁処理を施したもの、裏面にゲルマニウムチップを装着したものなどがある（例えば特許文献１参照）。
【０００４】
【特許文献１】実用新案登録第３１１１９８０号公報
【０００５】
この特許文献１に示されたブレスレットは、図１１に示すように、複数個の連結駒９を前後隣の連結駒９，９と端面を突き合わせようにして屈曲可能にそれぞれ連結して周回可能な長さに形成されたものである。一端部には連結金具９０が取り付けられ、この連結金具９０を他端部の連結軸９１に連結してリング状となす。２個置きの連結駒９の裏面にはゲルマニウムチップ１００が埋設されている。
【０００６】
各連結駒９は、前端面に凸状連結部９２を備え、後端面に隣の連結駒９の凸状連結部９２が挿入可能な凹状連結部９３を備えている。凸状連結部９２は、隣の連結駒９の凹状連結部９３内へ挿入した状態でピン９４により回動自由に支持され、これにより隣り合う連結駒９．９が内方および外方へ屈曲可能に連結される。なお、図中、９５はピン９４が挿通されるピン挿通孔であり、凸状連結部９２に貫通して形成されている。９６，９７はピン９４の両端部を支持するピン止め孔であり、凹状連結部９３を挟む対向側壁９８，９９にそれぞれ形成されている。
【発明の開示】
【発明が解決しようとする課題】
【０００７】
従来の装飾用のブレスレットも、上記した健康増進用のブレスレットも、全体形状がＣ型形状またはリング形状に限られている。特に、複数個の連結駒を連ねた構造のブレスレットは、連結駒間の連結部分を順次屈曲させつつ手首の周囲を一周させた後、一端の連結金具を他端の連結軸に連結してリング状にしただけのもので、従来の時計バンドと外観や構成に大差がなく、身体装着用バンドの意匠として、ありふれて変化に乏しいという問題がある。
【０００８】
この発明は、上記の問題に着目してなされたもので、手首などの人体の装着部分を周回させたときに全長にわたって螺旋巻きとなりかつ両端部が上下に重ならないような構成となすことにより、これまでにない特有の美観と変化に富んだ意匠を付与し得る身体装着用バンドを提供することを目的とする。
【課題を解決するための手段】
【０００９】
この発明による身体装着用バンドは、複数個の連結駒を前後隣の連結駒と端面を突き合わせようにして少なくとも内方へ屈曲可能にそれぞれ連結して周回可能な長さに形成されたもので、各連結駒は、全長にわたって螺旋巻きとなりかつ両端部が上下に重ならないように、一側方へ所定量だけ順次位置ずれさせて連結されるとともに、両端部間は両端部分を横並びの状態で係脱可能に固定する連結金具により開閉可能に連結されて成るものである。
【００１０】
この発明による身体装着用バンドは、装飾用にも健康増進用にも適用でき、その用途は問わない。また、典型的には、手首に装着されるブレスレットに適用されるが、これに限らず、足首に装着されるものであってもよく、さらには、腰に装着されるベルトや首に装着されるネックレスにも適用し得る。
【００１１】
上記した構成の身体装着用バンドにおいて、各連結駒は一側方へ所定量だけ順次位置ずれするので、連結駒間の連結部分を順次屈曲させつつ手首などの周囲を一周させて巻き付けたとき、全長にわたって螺旋巻きとなり、両端部が位置ずれして上下に重ならずに横並びの状態となる。この横並びの状態で両端部を連結金具に係合させると、両端部が閉じた状態に保持される。
上記した構成の身体装着用バンドを製作する場合、装着する人体の部位（例えば手首）の周長さに応じてバンド全長を連結駒の長さと連結個数とにより決定し、連結駒の幅と連結個数とに応じて凹状連結部のずれ量、すなわち、連結駒の幅方向のずれ量を最適な値に設定する。
【００１２】
この発明の好ましい実施態様においては、前記連結駒は、端部に位置する連結駒と、中間に位置する連結駒とから成る。中間に位置する連結駒は、前後の端面の一方に中心線が連結駒の中心線と一致する凸状連結部を備え、他方に隣の連結駒の凸状連結部が挿入可能でありかつ中心線が連結駒の中心線より一側方にずれた凹状連結部を備えるとともに、各凸状連結部は、隣の連結駒の凹状連結部内へ挿入した状態でピンにより回動自由に支持されている。
この実施態様によると、複数個の連結駒を前後隣の連結駒と端面を突き合わせようにして連結した構成の身体装着用バンドであっても、容易に螺旋巻きの身体装着用バンドを実現できる。
【００１３】
また、この発明の他の好ましい実施態様においては、前記端部に位置する各連結駒には、さらに、装飾用の連結駒がそれぞれ着脱交換可能に連結されている。
この実施態様によると、装飾用の連結駒として異なる装飾のものを複数個用意しておき、これを随時取り換えて装着することにより身体装着用バンドの装飾を変えることができる。
【００１４】
この発明による身体装着用バンドは、装飾を目的としたものに限らず、健康増進を目的としたものにも適用できるもので、その一実施態様として、前記連結駒のいずれかには、裏面にゲルマニウムチップが装着されている。
この実施態様によると、身体装着用バンドを人体に装着したとき、ゲルマニウムチップが皮膚表面に触れることでゲルマニウムが有する種々の治療効果が得られ、健康の増進に有効に機能する。なお、連結駒の裏面に装着するものとして、ゲルマニウムなどの半導体チップに限らず、磁気治療や指圧の効果が得られる永久磁石粒などを用いることもできる。なお、ゲルマニウムチップなどの装着は、埋込みや接着など、種々の方法を採択できる。また、連結駒の裏面にゲルマニウムチップなどを装着することに代えて、連結駒の裏面全体にゲルマニウムやシリコンなどの薄膜をスパッタリングなどの方法によって成膜してもよい。
【００１５】
上記した身体装着用バンドにおいて、両端部は横並びの状態で連結金具により固定されるが、前記連結金具として、種々の態様のものを用いることができる。
好ましい一実施態様においては、前記連結金具は、横並びの状態で一体化された一対の基板部と、各基板部の反対側の端部に各基板部上にそれぞれ折り重ね可能に連結された止め板部とから成るものである。各基板部と止め板部との間には互いに係脱可能な係合手段が設けられ、一方の止め板部の先端部は一端部の連結駒に、他方の止め板部の先端部は他端部の連結駒に、それぞれ回動自由に連結されている。
この実施態様によると、連結金具の各基板部と、各基板部に対応する止め板部との係合を順々に外すことで、身体装着用バンドの両端部分は連結金具による拘束から解放されて開き、手首などの人体の部位を挿脱することが可能となる。また、手首などの部位を身体装着用バンドに通した後、連結金具の各基板部と、各基板部とに対応する止め板部とを順々に係合させることで、身体装着用バンドの両端部分は閉じ、横並びの状態で連結金具に固定される。
【発明の効果】
【００１６】
この発明によれば、手首などの人体の所定の部位に身体装着用バンドが全長にわたって螺旋巻きの状態で固定でき、これまでない特有の美観と変化に富んだ意匠を付与することができる。
【発明を実施するための最良の形態】
【００１７】
図１は、この発明の一実施例であるブレスレット１の外観と、このブレスレット１を手首１０に装着した状態を示している。
図示例のブレスレット１は、裏面にゲルマニウムチップを装着して健康増進機能を持たせたものであるが、この発明は、健康増進を目的とするものに限らず、装飾を目的とするものにも適用できる。
【００１８】
この実施例のブレスレット１は、端部に位置する連結駒２，３と、この端部位置の連結駒２，３に挟まれた中間に位置する複数個の連結駒４と、端部位置の各連結駒２，３に着脱交換可能に連結された装飾用の連結駒５，５とを含んでいる。以下、端部位置の連結駒２，３を「端部連結駒２，３」、中間位置の連結駒４を「中間連結駒４」、装飾用の連結駒５を「装飾連結駒５」といい、「端部連結駒２，３」と「中間連結駒４」を「連結駒２〜４」と総称する。
【００１９】
各連結駒２〜４は外形がほぼ直方体をなし、中間連結駒４は前端面４ａを前隣の中間連結駒４の後端面４ｂまたは前側の端部連結駒２の後端面２ｂに突き合わせるようにして内方へ屈曲可能に連結されるとともに、後端面４ｂを後隣の中間連結駒４の前端面４ａまたは後側の端部連結駒３の前端面３ａに突き合わせようにして内方へ屈曲可能に連結されている。２個の装飾連結駒５，５と全ての連結駒２〜４とは、手首１０を周回することが可能な長さに連ねられている。なお、各連結駒２〜４は、内方のみならず、外方へも屈曲可能に連結することもできる。
【００２０】
各連結駒２〜４は、全長にわたって螺旋巻きとなりかつ両端部に位置する装飾連結駒５や連結駒２〜４が上下に重ならないように、一側方へ順次位置ずれさせて連結されるとともに、両端部分は横並びの状態で図２に示す連結金具６により固定されている。
図３は、両端部分を連結金具６による固定から解放した状態を示しており、ブレスレット１の両端部が解放されてリング径が広がり、手首の挿脱が可能となっている。
【００２１】
上記の各連結駒２〜４、装飾連結駒５、および連結金具６は、ステンレスにより形成され、各連結駒２〜４および装飾連結駒５の肉厚を厚くして全体の重量を大きく設定しているが、各構成部材をチタンなどの軽量な材料を用いて形成してもよい。この実施例によると、手首に装着して腕を動かすことで、エネルギー消費が促され、運動不足の解消、筋力の強化、五十肩の軽快などがはかられ、健康の増進に有効である。全体の重量は、例えば、手首に装着するものでは１５０〜２００ｇ、足首に装着するものでは２５０〜３５０ｇに設定するのが望ましい。
【００２２】
図４は連結駒２〜４が連なった状態を表側より示し、図５は連結駒２〜４が連なった状態を裏側より示している。図示していないが、各連結駒２〜４の表面２ｃ〜４ｃには模様が彫り込まれ、裏面２ｄ〜４ｄは人体表面に馴染むように平坦面に形成されている。
前側の端部連結駒２に対してその後隣の中間連結駒４は一側方へ所定のずれ量δだけ位置ずれし、以下、後続の中間連結駒４および後側の端部連結駒３は前隣の中間連結駒４に対して一側方へ同じずれ量δだけ順次位置ずれしている。
【００２３】
中間連結駒４のうち、選択された複数個の中間連結駒４の裏面４ｄには取付穴４０が形成され、その取付穴４０にほぼ球状のゲルマニウムチップ７が表面の一部を突出させた状態で埋め込まれている。このゲルマニウムチップ７は、フェライトの焼結体にゲルマニウムを蒸着したものである。
【００２４】
各中間連結駒４の前端面４ａには、図６に示すように、中心線ｃ１が当該中間連結駒４の中心線ｃ０と一致するように凸状連結部４１が形成されている。また、各中間連結駒４の後端面４ｂには後隣の中間連結駒４の凸状連結部４１が挿入可能でありかつ中心線ｃ２が当該連結駒４の中心線ｃ０より一側方に所定のずれ量δだけ位置ずれするように凹状連結部４２が形成されている。凸部連結部４１は全幅にわたって均一の突出長さと一定の厚みを有する幅方向に長い矩形状のものである。また、凹状連結部４２は凸状連結部４１の突出長さ、幅、および厚みに相応する凹溝形状を有し、中間連結駒４の後端面４ｂおよび裏面４ｄの側に切り欠かれている。
なお、前側の端部連結駒２は上記の凹部連結部４２と同様の構成の凹状連結部と後述する凸片２１を備え、後側の端部連結部３は上記凸状連結部４１と同様の凸状連結部と凸片を備えている。
【００２５】
各中間連結駒４の凸状連結部４１や後側の端部連結駒３の凸状連結部は、前隣の中間連結駒４の凹状連結部４２や前側の端部連結部２の凹状連結部内へ挿入した状態でピン８により回動自由に連結される。この実施例では、凹状連結部４２は後端面４ｂおよび裏面４ｄの側に切り欠かれているので、その凹状連結部４２内に挿入された凸状連結部４１は内方への屈曲は許容されるが、外方への屈曲は規制されることになる。
なお、図６において、４３はピン８が挿通されるピン挿通孔であり、凸状連結部４１に貫通して形成されている。４４，４５はピン８の両端部を支持するピン止め孔であり、凹状連結部４２を挟む対向側壁４６，４７にそれぞれ貫通して形成されている。
【００２６】
各中間連結駒４の凹状連結部４２や前側の端部連結部２の凹状連結部はその中心線ｃ２が当該連結駒４，２の中心線ｃ０よりずれ量δだけ位置ずれしているので、その凹状連結部４２に中間連結部４の凸状連結部４１や後側の端部連結部３の凸状連結部を挿入すると、その中間連結部４や後側の端部連結部３は前記ずれ量δだけ位置ずれした状態で前隣の中間連結駒４や前側の端部連結部２と連結される。
【００２７】
図７〜図９は、前側の端部連結駒２と装飾連結駒５との連結構造を示すもので、端部連結駒２の前端面２ａの中央部には装飾連結駒５と連結するための板状の凸片２１が突設されている。凸片２１は全幅にわたって均一の突出長さと一定の厚みを有する幅方向に長い矩形状のものであり、凸片２１の前端縁には切欠２３が形成されるともに、凸片２１の上面の切欠２３の外周には係合段部２４が形成されている。なお、後側の端部連結駒３も、後端面３ｂの中央部に同様の凸片が突設されているが、ここでは、後側の端部連結駒３については図示並びに説明を省略する。
【００２８】
装飾連結駒５は、連結駒２〜４とほぼ同じ幅および同じ厚みを有しており、表面に装飾用の模様が刻設され、裏面に後述する係合ピン５１の下端部が突出している。装飾連結駒５の先端は丸い形状を有し、後端面には内部に形成した空間部５０が開口している。空間部５０は、端部連結駒２の凸片２１の幅、突出長さ、および厚みに対応させた広さを有し、この空間部５０に対して端部連結駒２の凸片２１が挿脱可能となっている。
【００２９】
空間部５０内の幅中央には係合ピン５１が上下変位可能に縦設され、係合ピン５１の下端部を装飾連結駒５の裏面より突出させて操作部５１ｃとなしている。係合ピン５１は、凸片２１の切欠２３に対して挿脱可能な小径部５１ｂと係合段部２４に対して上方より係脱可能な大径部５１ａとを備えている。この大径部５１の幅は切欠２３の幅より大きく設定されている。係合ピン５１の上端部は空間部５０と連通する穴部５２内へ突出し、穴部５２内に配置されたバネ５３に連繋されている。バネ５３は係合ピン５１を下方へ押し、大径部５１ａを空間部５０に臨ませる。
【００３０】
端部連結駒２と装飾連結駒５とを連結するには、操作部５１ｃを押して係合ピン５１を押し上げ、小径部５１ｂを空間部５０に臨ませた後、端部連結駒２の凸片２１を空間部５０内へ挿入する。これにより切欠２３内に小径部５１ｂが入り込み、その後、操作部５１ｃの押圧を解除すると、大径部５１ａが係合段部２４に係合して凸片２１の抜けを阻止する。
上記した構成の装飾連結駒５は、異なるデザインのものが複数個用意され、これを随時取り換えて装着することによりブレスレット１のデザインに変化をつけることができる。
【００３１】
前記連結金具６は、図１０および前記の図２，３に示すように、横並びの状態で中間壁６０を挟んで一体化された一対の基板部６１，６１と、各基板部６１，６１の反対側の端部に各基板部６１上にそれぞれ折り重ね可能にピン６３により連結された止め板部６２，６２とから成るものである。
基板部６１と止め板部６２との間には互いに係脱可能な係合手段が設けられている。この実施例の係合手段は、基板部６１に形成された係合爪６４と、止め板部６２に形成された係止軸６５および開口部６６とで構成されており、基板部６１に止め板部６２を折り重ねるとき、係合爪６４が開口部６６に入り込んで係止軸６５に引っ掛かるようになっている。各止め板部６２の先端には連結片６７が一体形成され、一方の止め板部６２の連結片６７の先端が前側の端部連結駒２に、他方の止め板部６２の連結片６７の先端が後側の端部連結駒３に、それぞれ回動自由に連結されている。
【００３２】
上記した構成のブレスレット１を製作する場合、装着する人体の部位（例えば手首）の周長さに応じてブレスレット１の全長を連結駒２〜４および装飾連結駒５の長さと連結個数とにより決定し、連結駒２〜４の幅と連結個数とに応じて凹状連結部４２，２２のずれ量δ、すなわち、連結駒２〜４の幅方向のずれ量δを最適な値に設定する。
【００３３】
上記した構成のブレスレット１は、各連結駒２〜４が一側方へ所定のずれ量δだけ順次位置ずれするので、連結駒２〜４間の連結部分を順次屈曲させつつ手首などの周囲を一周させて巻き付けたとき、全長にわたって螺旋巻きとなり、両端部分が位置ずれして上下に重ならず横並びの状態となる。この横並びの状態で両端部分を連結金具６に係合させると、両端部分が閉じた状態に保持される。
【００３４】
また、この実施態様によると、ブレスレット１を手首に装着したとき、ゲルマニウムチップ７が皮膚表面に触れることでゲルマニウムが有する種々の治療効果が得られ、健康の増進に有効に機能する。
【図面の簡単な説明】
【００３５】
【図１】この発明の一実施例であるブレスレットの外観を示す斜視図である。
【図２】連結金具により両端部分を固定した状態を示す側面図である。
【図３】連結金具による両端部分の固定を解除した状態を示す側面図である。
【図４】連結駒の連結状態を示す平面図である。
【図５】連結駒の連結状態を示す背面図である。
【図６】中間連結駒の分解斜視図である。
【図７】端部連結駒および装飾連結駒の構成を示す平面図である。
【図８】装飾連結駒の構成を示す背面図である。
【図９】端部連結駒と装飾連結駒とを連結した状態を示す一部を断面した側面図である。
【図１０】連結金具の構成を示す斜視図である。
【図１１】従来のブレスレットの全体構成を示す斜視図である。
【図１２】従来のブレスレットにおける連結駒の連結構造を示す背面図である。
【符号の説明】
【００３６】
１    ブレスレット
２，３  端部連結駒
４    中間連結駒
５    装飾連結駒
６    連結金具
７    ゲルマニウムチップ
４１  凸状連結部
４２  凹部連結部
【図１】
2009034219.tif 000003
【図２】
2009034219.tif 000004
【図３】
2009034219.tif 000005
【図４】
2009034219.tif 000006
【図５】
2009034219.tif 000007
【図６】
2009034219.tif 000008
【図７】
2009034219.tif 000009
【図８】
2009034219.tif 000010
【図９】
2009034219.tif 000011
【図１０】
2009034219.tif 000012
【図１１】
2009034219.tif 000013
【図１２】
2009034219.tif 000014